(57)【特許請求の範囲】
【請求項１】
扱室２で脱穀された脱穀物を、揺動選別体４と送風ファン３による選別風で選別し、選別された穀粒を選別風路Ｆの下方に横設したラセン受樋９と一番ラセン８とからなる一番樋６で一側から他側に向けて横送りする脱穀機において、前記一番ラセン８の上方でその略全長にわたって穀粒ガイド板５を沿設し、この穀粒ガイド板５は、側面視において、その前端部側を一番ラセン８の回転方向の掻込側に近接させる一方、その後端部側を一番ラセン８の跳上げ側から隔間させ、かつ、前記穀粒ガイド板５を、前記送風ファン３から導風底板３０に沿って送給される選別風ｆの影響を受けない低位置に配置させたことを特徴とする脱穀機の穀粒案内構造。
【請求項２】
穀粒ガイド板５の先端部を下方に曲げて一番ラセン８側に接近させるように構成した請求項１記載の脱穀機の穀粒案内構造。
【請求項３】
ラセン受樋９の一番ラセン８の回転方向掻上側に、この一番ラセン８に近接する立上壁９ｂを形成し、その上端から穀粒を受けてラセン受樋９側に流下案内する一番流板９ｃを連接してなる請求項１記載の脱穀機の穀粒案内構造。
【発明の詳細な説明】
【０００１】
【発明の属する技術分野】
本発明は、脱殻機における一番樋に、効率的に穀粒を案内して移送するための穀粒案内構造の改良に関する。
【０００２】
【従来の技術】
一般にコンバイン等収穫機に搭載される脱穀機は、扱室の下方に形成した選別風路中に揺動選別体を前後方向に揺動運動可能に装架し、この揺動選別体の下方に穀粒を横送りし機外に回収する一番樋とワラ屑等を含む穀粒を揺動選別体に還元する二番樋を横設した構成にしている。
【０００３】
また上記従来の一番樋は横軸回転する一番ラセンと、この一番ラセンの下方外周に沿わせて形成した湾曲状のラセン受樋で構成され、このラセン受樋の前後に穀粒を受け止めてこのラセン受樋側に流下させる一番流板を一体的に連設している。
【０００４】
【発明が解決しようとする課題】
図４は本発明に至る改良途中段階の脱穀機における従来の一番樋の部分を示す図であるが、この一番樋６は、流板９ａと凹状のラセン受樋９と一番流板９ｃで擂鉢状に形成され、その最も深い部分に一番ラセン８を配置しており、この一番ラセン８は下方の半分をラセン受樋９内に没するように配置している。
【０００５】
前記一番ラセン８に対して、掻き込み側の流板９ａと跳上げ側の一番流板９ｃと、更に上方から穀粒が供給されるが、この一番ラセン８のラセン受樋９の跳上げ側では矢印で示すように穀粒を流板９ａ側に向かって跳ね上げる量が多く、穀粒はこの一番ラセン８の回転する部分の上方流板９ａと一番流板９ｃに至る部分の上方に、トンネル状に僅かな空洞を形成しながら堆積し、この一番ラセン８は一種の空回りの状態となり、その結果、一番ラセン８の軸線方向の移送する量が少くなり、移送効率がかなり悪いと言う問題が確認された。
【０００６】
なお、この図４においては、一番ラセン８によって穀粒を跳ね上げる量を減らすために、一番流板９ｃの最下端部とラセン受樋９の接続部分に立上壁９ｂを形成して穀粒の移送量を高めるように配慮しているが、それでも十分な効果が得られなかった。
【０００７】
更に説明を加えると、穀粒がこの一番樋６の上方を覆う程に大量に供給された時は、この一番樋６の回転方向上手側である掻込側では一番ラセン８によっ穀粒を掻き込もうとするが、それよりも回転方向下手側側の跳上げ側では一番流板９ｃと流板９ａ上に跳飛ばす量が多くなり、その結果、一番ラセン８による穀粒の掻込み横送りが円滑に行なわれず、一番ラセン８や一番流板９ｃ上に堆積し易い等の欠点がある。
【０００８】
また、この一番ラセン８を覆うように堆積した穀粒が、一挙に横送りされるような場合は、一番ラセン８部分で詰り等のトラブルや穀粒を破壊したり損傷を与える等の問題があり、脱穀部分より供給される穀粒の量に関係なく、円滑に一番ラセンに供給されるような構成が望まれていた。
【０００９】
【課題を解決するための手段】
前記従来の脱穀機の持つ問題点を解決するための本発明に係る脱穀機の穀粒案内構造は次のように構成されている。
【００１０】
すなわち、本発明は、扱室２で脱穀された脱穀物を、揺動選別体４と送風ファン３による選別風で選別し、選別された穀粒を選別風路Ｆの下方に横設したラセン受樋９と一番ラセン８とからなる一番樋６で一側から他側に向けて横送りする脱穀機において、前記一番ラセン８の上方でその略全長にわたって穀粒ガイド板５を沿設し、この穀粒ガイド板５は、側面視において、その前端部側を一番ラセン８の回転方向の掻込側に近接させる一方、その後端部側を一番ラセン８の跳上げ側から隔間させ、かつ、前記穀粒ガイド板５を、前記送風ファン３から導風底板３０に沿って送給される選別風ｆの影響を受けない低位置に配置させたことを特徴としている。
【００１１】
また、穀粒ガイド板５の先端部を下方に曲げて一番ラセン８側に接近させるように構成したことを特徴としている。
【００１２】
更に、ラセン受樋９の一番ラセン８の回転方向掻上込側に、この一番ラセン８に近接する立上壁９ｂを形成し、その上端から穀粒を受けてラセン受樋９側に流下案内する一番流板９ｃを連設するようにしている。
【００１３】
【発明の実施の形態】
以下図面を参照して本発明の実施の形態を説明する。
【００１４】
図１において、１はコンバイン等に搭載可能な脱穀機であり、扱胴２ａを回転可能に軸支した扱室２の下方の部分に、前側の送風ファン３と後側の排塵ファン３ａにより前後方向に形成する選別風路Ｆを形成し、この選別風路Ｆ内に、移送板４ａ、漏下網４ｂ、揺動一番流板４ｃ及びチャフシーブ４ｄ、揺動二番流板４ｅ等で構成された揺動選別体４を前後方向に揺動可能に支持している。
【００１５】
そしてこの揺動選別体４の下方に、後方から漏下網４ｂ及び揺動一番流板４ｃを介して落下供給される一番物である穀粒を受けて横送りし、機外に排出する一番樋６と、チャフシーブ４ｄ及び揺動二番流板４ｅを介して落下供給される穀粒に藁屑等の夾雑物を含む二番物とを受けて揺動選別体４の前側に二番物を還元させる二番樋７を機体巾に横設している。
【００１６】
更に、一番樋６と二番樋７との間に二番物風選用の補助ファン３ｂを設けた構成としている。また扱室２の扱口に沿ってフィードチェン２ｂを張設して扱室２に穀稈を供給するように構成している。
【００１７】
本発明においては、図２及び図３に示すように上記一番樋６に収容されている一番ラセン８の上方に穀粒ガイド板５を設けている点に特徴があるが、上記一番物を移送する一番ラセン８と、この穀粒ガイド板５からなる一番樋６の構造について説明する。
【００１８】
扱室２から揺動選別体４を介して供給される一番物は、傾斜している扱室２の下方であって、前側から後側に傾斜している流板９ａの下方にラセン受樋９を凹状に形成し、このラセン受樋９内に一番ラセン８を収容している。上記受樋９は臨設されて選別風の送風方向（図１に矢印ｆで示す）と対向して矢印方向に回転可能に、周知の構造のラセン軸体を使用した一番ラセン８の略下半分程度の深さに回転可能に収容するように形成している。
【００１９】
そして、図２及び図３に示すラセン受樋９は、その略全長にわたる前部に上方上向きに傾斜する流板９ａを一体的に設け、この流板９ａの上端を送風ファン３の導風底板３０と連接し、更にこのラセン受樋９の後部には一番ラセン８の回転方向掻上側に、この一番ラセン８に近接して立上壁９ｂを形成し、この立上壁９ｂの上端から前記揺動選別体４の揺動一番流板４ｃ側に上向きに傾斜させた一番流板９ｃを一体的に設け、全体としてラセン受樋９を底とする擂鉢状に形成している。
【００２０】
また、本発明において適用した穀粒ガイド板５は平板状の板材で、図３に示すように一番ラセン８の全長の上方を近接して覆い、更に選別風ｆの影響を受けない位置に配置し、その両側を脱穀機１の両機壁に固定している。
【００２１】
そしてこの穀粒ガイド板５は、側面視においてその前端部側を一番ラセン８の掻込側の表面に近接させ、穀粒ガイド板５の後端部側を一番ラセン８から離間するように傾斜させている。
【００２２】
この穀粒ガイド板５の前縁部を断面Ｌ形ないし円弧状に曲げているが、平坦な部分の裏面で一番ラセン８より放出される穀粒を反射させ、更に矢印Ｄで示す部分で穀粒を受けて一番ラセン８側に指向させるようにしている。
【００２３】
また、ラセン受樋９を形成している立上壁９ｂの下方の矢印Ｃで示す部分は一番ラセン８より放出される穀粒に対して抵抗を与え、前記一番ラセン８に指向するように作用している。そしてこの穀粒ガイド５の上に落下する穀粒は、この穀粒ガイド板５を傾斜して設けている関係で、一番ラセン８の掻込側へ供給されるようになっている。
【００２４】
前記のように、この穀粒ガイド板５は、送風ファン３側から導風底板３０に沿って送給される選別風ｆ（図１）の流れを妨げない位置に設け、この選別風ｆを後方側に向けて良好に流すように形成している。
【００２５】
また、図２に示したように、この穀粒ガイド板５の後側と一番流板９ｃとで形成される穀粒流入間隔Ｂを、穀粒ガイド板５の前側と梳板９ａとで形成される穀粒流入間隔Ａよりも大きくするように形成し、この流入間隔Ｂで穀粒を一番ラセン８の外周方向に案内するようにしている。また、この穀粒ガイド板５上に落下する穀粒は、この穀粒ガイド板５の傾斜により一番ラセン８の掻込側へ供給されるようになっている。
【００２６】
以上のように穀粒ガイド板５を一番ラセン８の上方に設けて構成した一番樋６を備えた脱穀機１は、図１に示すフィードチェン２ａで挟持搬送された穀稈より穀粒が扱胴２ａにより脱穀されると、その脱穀物は下方に配置されている揺動選別体４によって揺動と共に風選別され、漏下網４ｂから漏下した一番物は一番樋６に一番流板９ｃ等で案内供給され、ラセン受樋９で下半分が包囲されている一番ラセン８に効果的に接触しながら横送り、加圧されて機外に回収されることになる。
【００２７】
また、図１に示す如く揺動選別体４上を揺動搬送されてチャフシーブ４ｄに至った物等は、この部位で揺動風選別され、二番物は二番樋７によって揺動選別体４の前部の移送板４ａの上方に還元されて再び選別を受けることになる。そして上記チャフシーブ４ｄから排塵ファン３ａ側に流下した藁屑類は、塵物として機外に放出され一連の脱穀作業が行なわれる。
【００２８】
更に説明を加えると、一番樋６において漏下網４ｂから落下供給される一番物は、前記穀粒ガイド板５及び前後の流板９ａ、一番流板９ｃ上を下降して案内され穀粒流入間隔Ａ，Ｂ（図２）を介して凹入状に湾曲形成されたラセン受樋９内に至り、ここで矢印方向に回転している一番ラセン８によって順次横送りされて機外に設置された、例えば穀粒収容タンク内に円滑に回収されるものである。
【００２９】
しかし、ここで穀粒が穀稈の大量脱穀等によって一番流板９ｃ側から多量に穀粒流入間隔Ｂに供給され、そして一番ラセン８の周面に接当し、横送りされないものは回転方向の上方に跳ね飛ばされることになる。
【００３０】
この飛散した穀粒は一番ラセン８の上方において、掻込側で近接させ、そして掻上側で離間して傾斜して配置している穀粒ガイド板５の内面が受け止め、反射させて一番ラセン８内に案内するので、飛散した穀粒も一番ラセン８によって速やかに横送りされることになり、穀粒流入間隔Ｂ部分における穀粒の停滞を良好に防止することができる。
【００３１】
また斜設した穀粒ガイド板５の下端部を図３に示すように下方に屈曲させた形状とし、その端部を一番ラセン８の外周により近接させることによって飛散した穀粒を部分Ｄで受止め、一番ラセン８に指向させることができるから、飛散した穀粒を、掻き込み側の穀粒流入間隔Ａ側へ積極的に供給することができる等の利点がある。
【００３２】
また、穀粒流入間隔Ａ側に堆積しようとする穀粒は、ここは一番ラセン８の掻込側になるので、一番ラセン８による掻込み操作に穀粒の飛散等を伴うことなく円滑に横送りすることができるものである。更に、この穀粒ガイド板５上に落下する穀粒は前傾した穀粒ガイド５により前記一番ラセン８の掻込側へ供給されることになる。
【００３３】
そして、ラセン受樋９内の穀粒は一番ラセン８の回転方向へ移行して穀粒流入間隔Ｂ側に跳ね出されようとするが、一番流板９ｅとの接続部分に立上壁９ｂを形成しているので、上記の穀粒は、この立上壁９ｂの下方部分の矢印Ｃで示した部分に接当してその跳ね出しが抑制される。
【００３４】
また、この立上壁９ｂの上端は一番ラセン８に近接しているので、穀粒を一番ラセン８側に指向させて一番ラセン８による横送りを促進することができ、従って、この一番樋６における穀粒堆積による詰り等のトラブルを防止し、脱穀作業を能率よく円滑に行なうことができるものである。
【００３５】
【発明の効果】
以上の説明から明らかなように、本発明に係る脱穀機の穀粒案内構造によれば、一番樋６に内蔵される一番ラセン８の上方を、掻込側に近接して斜設した穀粒ガイド板５で覆うようにしている。
【００３６】
従って、掻上側で回転方向に掻上げられて飛散しようとする穀粒を上記穀粒ガイド板５で受け、そして一番ラセン８側に案内してその横送りを促進させることができ、穀粒の停滞を良好に防止することができる。
【００３７】
また、上記穀粒ガイド板５の先端を一番ラセン８の掻込み側に向けて曲げてこの一番ラセン８の表面に接近させるように構成しているので、跳飛ばされる穀粒をこの部分で受けて一番ラセン８側に指向させることができるので、効率的に穀粒を移送することができる。
【００３８】
また、掻込側からラセン受樋９に沿って掻上側に跳ね出されようとする穀粒はラセン受樋９の掻上側に設けた立上壁９ｂに接当させるので、穀粒の跳ね出しを防止した横送りを良好に行なうことができるものである。
【００３９】
更に、この穀粒ガイド板５によって一番ラセン８で移送される穀粒と、ラセン受樋９側に落下供給される穀粒とを分け、このラセン受樋９の部分で移送される穀粒に対して落下して堆積する穀粒の重さが作用することを防ぐようにしているので、一番ラセン８による穀粒の移送は極めて円滑に行なわれることになる。
【図面の簡単な説明】
【図１】本発明に係る一番樋構造を有する脱穀機の側断面図である。
【図２】一番樋及び穀粒ガイド板の構成を示す側断面図である。
【図３】本発明に係る一番樋の作用を示す概略断面図である。
【図４】本発明者が開発途中の一番樋の作用を示す概略断面図である。
【符号の説明】
１  脱穀機    ２  扱室    ３  送風ファン    ４  揺動選別体
５  穀粒ガイド板    ６  一番樋    ８  一番ラセン
９  ラセン受樋    ９ａ  流板    ９ｂ  立上壁    ９ｃ  一番流板
【図１】
0004553456.tif 000002
【図２】
0004553456.tif 000003
【図３】
0004553456.tif 000004
【図４】
0004553456.tif 000005